(57)【要約】【課題】組み立てが容易で、使用時における強度に優れた商品陳列収納具を提供する。【解決手段】厚紙製の基板１と、プラスチックシートを折り曲げて形成される保持体２とから構成し、基板１にスロット３を設け、保持体２の背側に差込片１２を突設し、差込片１２から罫線を介して折曲部１３を張り出させ、折曲部１３を折り曲げつつ、差込片１２をスロット３に差し込み、反発による折曲部１３の復元に伴い、スロット３から差込片１２を抜け止めして、基板１に保持体２を固定する。【選択図】図１
2005348855.tif 000002
【特許請求の範囲】
【請求項１】
厚紙製の基板と、プラスチックシートを折り曲げて形成される保持体とから成り、基板にスロットを設け、保持体の背側に差込片を突設し、差込片から罫線を介して折曲部を張り出させ、折曲部を折り曲げつつ、差込片をスロットに差し込み、反発による折曲部の復元に伴い、スロットから差込片を抜け止めして、基板に保持体を固定するようにしたことを特徴とする商品陳列収納具。
【請求項２】
請求項１に記載の商品陳列収納具において、保持体の底壁に設けた延出部を基板の開口部に差し込み、この開口部の下縁に設けた係合片を、前記延出部に設けたスロットに係合させるようにしたことを特徴とする商品陳列収納具。
【発明の詳細な説明】
【技術分野】
【０００１】
この発明は、店頭での商品の陳列に使用するハンガー等の収納具に関するものである。
【背景技術】
【０００２】
一般に、店頭で商品を陳列する際に使用するハンガーは、紐で吊り下げられる厚紙製の基板に、板紙を折り曲げて形成したトレー状の保持体を接着剤で貼り付け、この保持体に商品を収納する構成とされている。
【発明の開示】
【発明が解決しようとする課題】
【０００３】
しかしながら、上記のようなハンガーでは、基板への保持体の取り付けに際し、保持体の背面に接着剤を塗布し、保持体を基板に対し所定の位置に接着しなければならず、作業に手間取るという問題がある。また、商品の陳列状態において、板紙製の保持体に無理な引張力が作用すると、保持体が破れやすいという問題もある。
【０００４】
そこで、この発明は、組み立てが容易で、使用時における強度に優れた商品陳列収納具を提供することを課題とする。
【課題を解決するための手段】
【０００５】
上記課題を解決するため、この発明に係る商品陳列収納具は、厚紙製の基板と、プラスチックシートを折り曲げて形成される保持体とから成り、基板にスロットを設け、保持体の背側に差込片を突設し、差込片から罫線を介して折曲部を張り出させ、折曲部を折り曲げつつ、差込片をスロットに差し込み、反発による折曲部の復元に伴い、スロットから差込片を抜け止めして、基板に保持体を固定するようにしたのである。
【０００６】
また、上記商品陳列収納具において、保持体の底壁に設けた延出部を基板の開口部に差し込み、この開口部の下縁に設けた係合片を、前記延出部に設けたスロットに係合させるようにしたのである。
【発明の効果】
【０００７】
このような商品陳列収納具では、保持体を基板に接着剤で貼り付けることなく、差し込むだけで簡単かつ正確に取り付けることができ、また、保持体がプラスチックシートから成るので、使用中に破れることもない。また、基板の開口部下縁の係合片を、保持体の底壁からの延出部に設けたスロットに係合させると、保持体の底抜けが防止される。
【発明を実施するための最良の形態】
【０００８】
以下、この発明の実施形態を添付図面に基づいて説明する。
【０００９】
この商品陳列収納具は、図１に示すように、店頭で商品を陳列するためのハンガーであり、吊棒等に紐で吊り下げられる基板１と、商品が収納されるトレー状の保持体２とから構成される。基板１は、複数枚の板紙を貼り合わせた合紙から形成され、保持体２は、透明なＰＥＴ（ポリエチレンテレフタレート）のシートから形成されている。
【００１０】
図２に示すように、基板１の両側部には、縦方向に延びるスロット３が２本上下に並べて配置され、基板１の下端中間部には、横方向に長い開口部４が設けられている。この開口部４の下縁には、上方へ突出する係合片５が設けられている。また、基板１の両側上端部には、吊下用の紐を挿通する紐穴６が設けられている。
【００１１】
一方、図３に示すように、保持体２のブランクにおいては、ＰＥＴシートに罫線を入れて、前板７の両側縁に側板８が、下縁に底板９がそれぞれ連設され、側板８の外側縁には背折板１０が、下縁には底折板１１がそれぞれ連設されている。
【００１２】
また、側板８の外側部には、背折板１０への切込により上下２個の差込片１２が突設され、その上部には、罫線を介して折曲部１３が張り出すように設けられている。また、差込片１２の下部にも突起が設けられている。底板９の先端には延出部１４が設けられ、この延出部１４には横方向のスロット１５が設けられている。
【００１３】
このようなブランクから保持体２を組み立てるには、図４に示すように、前板７から両側板８を後方へ折り曲げ、底折板１１を内側へ折り曲げて、底板９を閉じ、背折板１０を内側へ折り曲げて、差込片１２を後方へ突出させる。ここで、折曲部１３を含めた差込片１２の長さは、基板１のスロット３よりも長くなっている。
【００１４】
上記のように組み立てた保持体２を基板１に取り付けるには、図５に示すように、折曲部１３を折り畳んだ状態で、差込片１２をスロット３に差し込み、差込片１２の下部の突起をスロット３の下端縁に引っ掛ける。
【００１５】
また、保持体２の底板９の延出部１４を開口部４に差し込み、係合片５をスロット１５に係合させる。これにより、底板９の延出部１４が開口部４から抜け止めされ、底板９が開口部４の下縁に支持されて、保持体２の底抜けが防止される。
【００１６】
そして、図６に示すように、折曲部１３から手を離すと、折曲部１３は反発によりある程度まで復元し、スロット３から差込片１２が抜け止めされ、図１に示すように、基板１に保持体２が固定される。
【００１７】
このような商品陳列収納具では、保持体２を基板１に接着剤で貼り付けることなく、差し込むだけで簡単かつ正確に取り付けることができる。また、保持体２がプラスチックシートから成るので、商品の出し入れ等に伴って破れることがなく、透明なプラスチックシートを介して商品が見えるので、優れたディスプレイ効果が得られる。
【００１８】
また、先端部の幅が大きい差込片を弓なりに撓ませつつスロットに押し込む一般的な差込ロックに比較すると、スロット３の幅を小さくすることができるので、基板１に対する保持体２のがたつきを防止することができる。
【００１９】
なお、上記実施形態では、商品を吊り下げて陳列するハンガーを例示したが、この発明に係る基板への保持体の取付構造は、ブリスターパックと呼ばれる商品パッケージにも適用することができる。
【図面の簡単な説明】
【００２０】
【図１】この発明の実施形態に係る商品陳列収納具を示す斜視図
【図２】同上の基板を示す図
【図３】同上の保持体のブランクを示す図
【図４】同上の基板と保持体の分離状態を示す斜視図
【図５】同上の保持体取付過程を示す背面側から要部拡大斜視図
【図６】同上の保持体取付状態を示す背面側から要部拡大斜視図
【符号の説明】
【００２１】
１  基板
２  保持体
３  スロット
４  開口部
５  係合片
６  紐穴
７  前板
８  側板
９  底板
１０  背折板
１１  底折板
１２  差込片
１３  折曲部
１４  延出部
１５  スロット
【図１】
2005348855.tif 000003
【図２】
2005348855.tif 000004
【図３】
2005348855.tif 000005
【図４】
2005348855.tif 000006
【図５】
2005348855.tif 000007
【図６】
2005348855.tif 000008